【手続補正書】
【提出日】平成20年2月21日(2008.2.21)
【手続補正１】
【補正対象書類名】明細書
【補正対象項目名】特許請求の範囲
【補正方法】変更
【補正の内容】
【特許請求の範囲】
【請求項1】
光データ構造表面に付けた第1の主要な表面および比較的平らな第2の主要な表面を持っている基板を得るステップ、前記第2の主要な表面または内部に光可変材料を置くステップ、保護材料で前記光可変材料を有す第2の主要な表面を密封するステップを備え、前記光―可変の材料は、少なくとも第1の光状態および第2の光状態にあることができ、第1の光状態は、入力信号に曝されると第2の光状態に変換でき、第2の光状態は、しばらくして前記第1の光状態に自発的に変換換できること、および前記光可変の材料は、光―可変の材料がそれの第1の光状態にあるとき、前記光読取装置による前記光媒体のビット読取りは、光データ構造に忠実であり、前記光可変の材料がそれの第2の光状態にあるとき、データ・ビット読取りは、光データ構造に忠実なものから一つ以上のビットだけ変わるように、光データ構造に関して位置決めされることを特徴とする光読取装置によって読取り可能な光媒体を製作する方法。
【請求項２】
第1の主要な表面および第2の主要な表面を持っている第1の基板を得るステップ、前記第1の基板の一方または両方の主要な表面または内部に光可変の材料を置くステップ、第1および第2の主要な表面を持っている第2の基板を得るステップ、前記第1の主要な表面はその上に情報ピットを持っている、前記光可変材料を持っている前記第1の基板を前記第2の基板の前記第1または第2の主要な表面に添付するステップを備え、前記光可変の材料は、少なくとも第1の光状態および第2の光状態にあることができ、第1の光状態は、入力信号に曝されると第2の光状態に変換でき、第2の光状態は、しばらくして前記第1の光状態に自発的に変換換できることを特徴とする光媒体を製作するための方法。
【請求項３】
第1の主要な表面および第2の主要な表面を持っている基板を得るステップ、前記第1の主要な表面は、その上に情報ピットおよびランドを持っている、光可変の材料を前記情報ピットおよび／またはランドの一つ以上、しかし、全てより少ないものの中または表面に置くステップ、上に情報ピットを持っている前記基板の前記第1の主要な表面を金属でおおうステップ、前記金属でおおわれた表面に沿ってオーバーコート層を配置するステップを備え、前記光可変の材料は、少なくとも第1の光状態および第2の光状態の中にあることができ、第1の光状態は、入力信号に曝されると第2の光状態に変換でき、第2の光状態は、しばらくして前記第1の光状態に自発的に変換できる光媒体を製作する方法。
【請求項4】
第1の主要な表面および第2の主要な表面を持っている第1の基板を得るステップ、前記第1または第2の主要な表面または両方は、検出可能な登録マークを持っている、選ばれた領域において前記第1の基板層の前記第1の主要な表面に光―可変の材料で印をつけるステップ、第1の主要な表面および第2の主要な表面を持っている第2の基板を得るステップ、前記第2の基板層の前記第1の主要な表面はその上に情報ピットを持っており、前記第1または第2の主要な表面または両方とものどちらでも検出可能な登録マークを持っている、前記検出可能な登録マークとして前記第1の基板の前記第1の主要な表面に沿って前記第2の基板の前記第2の主要な表面を添付するステップ、前記情報ピットを持っている前記第2の基板の前記第1の主要な表面を金属でおおうステップ、前記金属でおおわれた表面に沿って第1のオーバーコート層を配置するステップ、および前記第1の基板層の前記第2の主要な表面に沿って第2のオーバーコート層を選択的に配置するステップ、前記光―可変の材料は、少なくとも第1の光状態および第2の光状態の中に存在することができ、第1の光状態は、入力信号曝されると第2の光状態に変換できる、そして、第2の光状態は、前記第1の光状態のためにしばらくして自発的に変換できる光媒体を製作する方法。
【請求項５】
第1の主要な表面および第2の主要な表面を持っている第1の基板層、前記第1の基板層の前記第1の主要な表面は、その上に光―可変の材料を持っている、第1の主要な表面および第2の主要な表面を持っている第2の基板層、前記第2の基板層の前記第1の主要な表面が、その上に情報ピットを持っている、そして、前記第2の主要な表面は、前記第1の基板層の前記第1の主要な表面に沿って配置されている、金属反射体層、前記金属反射体層は、前記第1の主要な表面に沿って取り除かれる前記第2の基板層、前記金属反射体層に沿って配置されている第1のオーバーコート層、前記第1の基板層の前記第2の主要な表面に沿って配置されている層を第2のオーバーコート、前記光―可変の材料は、少なくとも第1の光状態および第2の光状態にあることができ、第1の光状態は、入力信号に曝されると第2の光状態に変換でき、第2の光状態は、しばらくして前記第1の光状態に自発的に変換換できる、前記第1の基板層の前記第1の主要な表面の前記光―可変の材料は、前記第2の基板層の前記第1の主要な表面の情報ピットに関して配置される光―可変の材料がそれの第1の光状態においてあるとき、光可変の材料がそれの第2の光状態にあるとき、前記第2の基板層の前記第1の主要な表面のデータ・ビット読取りは、光データ構造に忠実なものから一つ以上のビットだけ変わる光媒体。
【請求項６】
Ａ以下を含んでいるマルチレイヤ光媒体：第1の主要な表面および第2の主要な表面を持っている基板、前記第1の主要な表面は、その上に情報ピットおよびランドを持っている、記重合フィルムは、光―可変の材料配置された過度の一つ以上の前記情報ピットと、ランドとを備えている前記光―可変の材料は、少なくとも第1の光状態および第2の光状態にあることができ、第1の光状態は、入力信号に曝されると第2の光状態に変換でき、第2の光状態は、しばらくして前記第1の光状態に自発的に変換換できる、前記重合フィルムの前記光―可変の材料は前記第1の主要な表面の情報ピットおよびランドに関して配置される、光―可変の材料がそれの第1の光状態においてあるとき、前記第1の主要な表面のビット読取りは真、光データ構造である、前記光―可変の材料がそれの第2の光状態においてあるとき、前記第1の主要な表面のデータ・ビット読取りはその真、光データ構造から一つ以上のビットによって変わる光媒体。
【請求項７】
第1の主要な表面および第2の主要な表面を持っている基板、前記第1の主要な表面は、その上に情報ピットおよびランドを持っている、金属反射体層、前記金属反射体層は、情報ピットおよびランドに沿って配置されており、前記金属反射体層にかぶせて位置決めされ重合フィルムは、前記重合フィルムは、光―可変の材料を備えている層を持っている前記金属反射体は、前記第2の主要な表面通して向けられたレーザー光が光可変の材料高分子フィルムに当てることができる複数の継続不連続部をその中に有する多層光媒体。
【請求項８】
第1の主要な表面および第2の主要な表面を持っている基板を得る、ステップ、前記第1の主要な表面は、その上に情報ピットおよびランドを持っている、前記情報ピットおよびランドに沿って金属でおおわれた層を形成するために前記第1の主要な表面を金属でおおうステップ、光可変材料を含む重合層を前記金属でおおった層の上に置くステップを備える光媒体を製作する方法。
【請求項９】
光媒体を認証する方法において、ある特性のもので、光媒体上に以下のように配置された遅延光―放射する材料、光媒体またはそれの一部分の光読取装置による第1のデータ読取りのときに、第1のデータセットが与えられ、光媒体またはそれの一部分の光読取装置による第2のデータ読取りのときに、前記第1のデータセットと異なる第2のデータセットが与えられ、そのうえ光媒体またはそれの一部分の光読取装置による第3のデータ読取りのときに、再び前記第1のデータセットが与えられたことを含む、認証される光媒体を得るステップ、真正として分類するステップ、前記光媒体がある特性のもので、光媒体上に以下のように配置された遅延光―放射する材料、光媒体またはそれの一部分の光読取装置による第1のデータ読取りのときに、第1のデータセットが与えられ、光媒体またはそれの一部分の光読取装置による第2のデータ読取りのときに、前記第1のデータセットと異なる第2のデータセットが与えられ、そのうえ光媒体またはそれの一部分の光読取装置による第3のデータ読取りのときに、再び前記第1のデータセットが与えられたことを含む光媒体を認証する方法。